(57)【特許請求の範囲】
【請求項１】
天井裏（５）の複数本の吊ボルト（３、３）に吊下げられてこの天井裏（５）に設置され、かつ、天井板（２）の開口（１６）に臨む底面（７）には、中央に空気吸込口（８）を有する凸部（７ａ）が設けられると共にその凸部（７ａ）の両側にそれぞれ空気吹出口（９、９）を有する凹部（７ｂ、７ｂ）が設けられた本体（１）と、前記天井板（２）の開口（１６）に位置して前記本体（１）の底面（７）に取り付けられるグリル（６）とから空気調和機（１０）を構成し、前記本体（１）と前記天井板（２）の開口（１６）との隙間を保つための一枚の据付用型紙（２１）を備えた天井埋込型空気調和機の据付装置であって、
前記一枚の据付用型紙（２１）は、その外形寸法を前記天井板（２）の開口（１６）の寸法と略一致させると共に、前記複数本の吊ボルト（３、３）の位置を示す吊ボルト用位置表示部（２２、２２）と、前記本体（１）の底面（７）の凹部（７ｂ、７ｂ）に設けられた複数のグリル固定用のグリルねじ孔（１４、１４）の位置を示すグリルねじ孔用位置表示部（２３、２３）と、前記本体（１）の底面を閉塞すべく本体（１）に取り付けるための本体取付用ねじ孔（３１、３１）とを備え、
前記グリルねじ孔用位置表示部（２３、２３）及び本体取付用ねじ孔（３１、３１）が設けられた型紙（２１）の４隅のコーナー部付近には、Ｌ字状の切込み（２７）及び山折りと谷折りの互いに平行な２段の折曲線（２８ａ、２８ｂ）から成る切越し部（２６、２６）がそれぞれ形成され、これら切越し部（２６、２６）を切り起こしたときの先端側平面に前記本体取付用ねじ孔（３１、３１）を設け、これら本体取付用ねじ孔（３１、３１）を用いて据付用型紙（２１）を前記本体（１）の底面（７）にねじ止め固定可能としたことを特徴とする天井埋込型空気調和機の据付装置。
【発明の詳細な説明】
【０００１】
【発明の属する技術分野】
本発明は、天井埋込型空気調和機を据え付ける際に、本体及び天井開口の位置決めをする据付用型紙に関するものである。
【０００２】
【従来の技術】
従来、天井裏に配設される本体と、この本体の下方に天井板の開口を設け、この開口を通して本体の底面に取り付けられグリルとを備えた天井埋込型空気調和機は知られている。
【０００３】
図５は、この種従来の天井埋込型空気調和機の一例を示す斜視図である。図５において、１は天井埋込型空気調和機（以下単に空気調和機という）１０の本体、２は天井板、３は吊ボルトである。本体１の側面には複数のＬ形吊具４が設けられ、これら吊ボルト３が天井裏５の梁等に所定間隔を有して設置垂下され、これら吊ボルト３にＬ形吊具４を固定することにより本体１が天井裏５に設置される。本体１の底面にはグリル６が取り付けられている。
【０００４】
このような空気調和機１０は、一般に、次のような手順で据え付けられる。
【０００５】
予め天井裏５に設置された複数本の吊ボルト３にナットを用いてＬ形吊具４を仮固定する。本体１の上下方向の位置決めをするために型紙Ａ（図示せず）を用いて本体の位置決めをしてＬ形吊具４を堅固に固定する。
【０００６】
次に、冷媒配管及びドレン配管を接続した後、天井板２の張り付け準備をする。空気調和機１０の底面にこの底面を覆う型紙Ｂ（図示せず）を取り付け、この型紙Ｂを取り付けることにより、本体１の底面を傷つけないようにするとともに、空気調和機１０の底面に形成されている空気吸込口及び空気吹出口等の開口から本体１内部に塵やホコリ等を侵入させないようにする。
【０００７】
次に、天井板２の開口位置を決めるために型紙Ｃ（図示せず）を用いて開口位置を設定しておく。この型紙Ｃには、例えば、段ボール材等の平板材に吊ボルト３の位置、本体１の外形寸法、及び天井板２の開口寸法等が表示され、型紙Ｃに表示された位置と実際の吊ボルト３または本体１の位置とを合わせることにより、天井板２の開口位置を設定する。天井板２の開口位置を認識しながら天井板２を張り付け、その後、本体１にグリル６を取り付ける。
【０００８】
このようにして、空気調和機の据付工事においては、各種の型紙が用いられ、重要な案内具として活用される。
【０００９】
【発明が解決しようとする課題】
しかしながら、空気調和機１０の据付工事において、用途毎に各種の型紙Ａ、Ｂ、Ｃが存在する上、使い方も様々なので、施工業者は、これらの型紙Ａ、Ｂ、Ｃを正確に使用するために作業への負担が大きくなるという問題があった。
【００１０】
本発明は、上記従来の問題点に鑑みなされたもので、据付工事の際に用いる据付装置をより使い易くして据付作業を軽減した天井埋込型空気調和装置の据付装置を提供することを目的とする。
【００１１】
【課題を解決するための手段】
上記目的を達成するために、請求項１に記載の発明は、天井裏（５）の複数本の吊ボルト（３、３）に吊下げられてこの天井裏（５）に設置され、かつ、天井板（２）の開口（１６）に臨む底面（７）には、中央に空気吸込口（８）を有する凸部（７ａ）が設けられると共にその凸部（７ａ）の両側にそれぞれ空気吹出口（９、９）を有する凹部（７ｂ、７ｂ）が設けられた本体（１）と、前記天井板（２）の開口（１６）に位置して前記本体（１）の底面（７）に取り付けられるグリル（６）とから空気調和機（１０）を構成し、前記本体（１）と前記天井板（２）の開口（１６）との隙間を保つための一枚の据付用型紙（２１）を備えた天井埋込型空気調和機の据付装置であって、前記一枚の据付用型紙（２１）は、その外形寸法を前記天井板（２）の開口（１６）の寸法と略一致させると共に、前記複数本の吊ボルト（３、３）の位置を示す吊ボルト用位置表示部（２２、２２）と、前記本体（１）の底面（７）の凹部（７ｂ、７ｂ）に設けられた複数のグリル固定用のグリルねじ孔（１４、１４）の位置を示すグリルねじ孔用位置表示部（２３、２３）と、前記本体（１）の底面を閉塞すべく本体（１）に取り付けるための本体取付用ねじ孔（３１、３１）とを備え、前記グリルねじ孔用位置表示部（２３、２３）及び本体取付用ねじ孔（３１、３１）が設けられた型紙（２１）の４隅のコーナー部付近には、Ｌ字状の切込み（２７）及び山折りと谷折りの互いに平行な２段の折曲線（２８ａ、２８ｂ）から成る切越し部（２６、２６）がそれぞれ形成され、これら切越し部（２６、２６）を切り起こしたときの先端側平面に前記本体取付用ねじ孔（３１、３１）を設け、これら本体取付用ねじ孔（３１、３１）を用いて据付用型紙（２１）を前記本体（１）の底面（７）にねじ止め固定可能としたことを特徴とする。
【００１２】
【００１３】
【００１４】
【００１５】
【００１６】
【００１７】
【発明の実施の形態】
以下、本発明の一実施形態を図面に基づいて説明する。図１は天井埋込型空気調和機の設置状態を示す斜視図、図２は本発明の据付用型紙（据付装置）に表示された内容を示す平面図、図３は据付用型紙と、吊ボルト及びグリル固定用ねじ孔との関係を示す斜視図、図４は型紙を本体に取り付けた状態を示す斜視図である。なお、図５と同一の構成要素には同一の符号を付す。
【００１８】
図１、図３において、この空気調和機１０は、箱形の本体１内に室内熱交換器、送風機等を備えて構成されており、本体１の底面７は、中央部が突出し、両端部が凹んだ凹凸形状をしている。前記本体１の底面７の凸部７ａには、空気吸込口８を有し、底面７の凹部７ｂ、７ｂには、空気吹出口９、９と複数のグリル固定用ねじ孔（以下グリルねじ孔という）１４、１４・・を有している。
【００１９】
本体１の対向する側板１５ａ、１５ｂにはＬ形吊具４が設けられ、このＬ形吊具４が天井梁等に設置された吊ボルト３に固定される。
【００２０】
空気調和機１が設置される建物の天井板２には開口１６が形成され、この開口１６には、空気吸込用及び空気吹出用の開口を有するグリル６が配置され、このグリル６は、取付ねじを用いて前記本体１のグリルねじ孔１４に固定される。なお、符号１７、１８はドレン配管および冷媒配管を示す。
【００２１】
このように設置される空気調和機１０において、据付工事には本体１を天井裏５へ位置決めするために据付用型紙（以下単に型紙という）２１が用いられる。この型紙２１は、段ボール材等の一枚の平板材によって作られ、その外形寸法を天井板２の開口１６の寸法と一致させている。この型紙２１の表面には、図２に示すように、吊ボルト３の位置表示部２２、グリルねじ孔１４の位置表示部２３、及び天井板２の開口１６の位置表示部（コーナー部に表示）２４が実寸大で印刷されている。これらの表示部２２〜２４は、型紙２１の片面に印刷され、この型紙２１を使用するときには、印刷されていない面を本体１の底面７に当接させて用いられる。なお、吊ボルト３の位置表示部２２には抜き孔が設けられている。
【００２２】
さらに、型紙２１の４隅のコーナー部付近には、それぞれ切起し部２６が設けられている。各切起し部２６には、図２に示すように、Ｌ字形の切込み２７と、ミシン目の入った２段の互いに平行な折曲線２８ａ、２８ｂとが形成されている。２段の折曲線２８ａ、２８ｂの間隔は、本体１底面７の凸部７ａと凹部７ａとの間隔に合わせてある。そして、これら切起し部２６は、図２に示す型紙側折曲線（実線表示）２８ａを直角山折りに、先端側折曲線（破線表示）２８ｂを直角谷折りに折曲してクランク状に折り曲げる。そして、切起し部２６の先端側平面には、切起し部２６を折り曲げたときの本体取付用ねじ孔（グリル固定用ねじ）３１が設けられ、このねじ孔３１を用いて、グリル６の未装着時において、本体１のグリルねじ孔１４に、前記型紙２１をねじ止め固定できるようになっている。
【００２３】
実際に空気調和機を据え付ける場合には、図３に示すように、予め天井裏５に設置された吊ボルト３に空気調和機１０のＬ型吊具４を仮固定しておく。そして、型紙２１の切起し部２６を切越してた後、この型紙２１を本体取付用ねじ孔３１を介して、本体１のグリルねじ孔１４に固定する。このとき、型紙２１の切起し高さが本体底面７の凹凸の高さに対応しているので、型紙２１が底面７の凸部７ａに密着して固定される（図４参照）。型紙２１の底面は、天井面に相当するので、実際に設定された天井高さに合わせて本体１の上下方向を微調整し、Ｌ型吊具４を堅固に固定する。その後、ドレン配管１７、冷媒配管１８を本体１に接続し配設する。
【００２４】
次に、天井板２の張付作業を行う。このとき、型紙２１を本体１の底面７に取り付けることによって、天井板２の開口１６の位置及び天井高さ位置が設定できるので、この型紙２１に合わせて天井板２の張り付けを行う。
【００２５】
そして、天井板２の張付等の、建物内部の工事終了後、本体１から型紙２１を取り外し、型紙２１に代えて本体１の底面７にグリル６を取り付ける。
【００２６】
以上説明したように、本発明の型紙２１は、一枚の平板材で構成され、この平板材の４隅のコーナー部付近に切起し部２６を設け、この切起し部２６に本体取付用ねじ孔３１を設け、切起し部２６を切起した後、このねじ孔３１を介して本体１に固定するようにしたので、本体１の底面７の凹凸形状に対応して、型紙２１によって本体１の底面７の空気吸込口８及び空気吹出口９、９を閉塞した状態とすることができる。
【００２７】
さらに、型紙２１によって本体１の底面７の全体が覆われるので、建物の工事中にその底面７部分を傷つきにくくすることができ、かつ、汚れにくくすることもできるともに、本体１内部への塵やホコリ等の侵入を防止でき、この型紙２１を養生シートとして使用できる。養生シートとして使用できることにより、１つの型紙２１で据付用と養生用とに兼用でき、型紙２１を一度、本体１に取り付ければ、グリル６を取付るまで、そのまま取り付けておくことができ、複数の型紙を有して使用する場合に比べ、型紙の着脱作業の手間を軽減することができる。
【００２８】
また、型紙２１は、一枚の平板材を使用し、大きな抜き孔を設けていないので、取り扱う上で折れ曲がりにくく平面を保つことができ、各位置決めにおいて正確性を向上することができる。さらに、製造上、複雑な加工がないので、作製が簡単でコストの低減が図れる。
【００２９】
また、本体取付用ねじ孔３１を用いて、型紙２１をグリルねじ孔１４にねじ止め固定するようにしたので、本体１に型紙取付用のねじ孔を新たに追加形成することなく、型紙２１の本体１への着脱作業を容易に行うことができる。
【００３０】
また、型紙２１の外形寸法自体が、天井板２の開口１６の寸法に相当するので、開口１６の位置及び寸法が容易に認識でき、天井板２の張付作業を容易にすることができる。
【００３１】
また、天井板２の張付作業に際しては、型紙２１の底面が天井板２の底面と同一面になっているので、天井の張りの後に、本体１の上下方向の位置を再度微調整することができ、本体１と天井板２の上下方向の位置出しを、より正確に行うことができる。
【００３２】
以上一実施形態に基づいて本発明を説明したが、本発明はこれに限定されるものではない。
【００３３】
本実施形態では、本体１の据付後に、天井板２の張付等の天井工事を行なうように説明しているが、本体１の据付前に、天井工事を行っても良く、その場合、型紙２１のボルト位置表示部２２の抜き孔を吊ボルト３の先端部に合わせながら、天井板２の開口１６の位置決めをすれば良い。
【００３４】
【発明の効果】
以上説明したように、本発明の天井埋込型空気調和機の据付装置によれば、天井裏の複数本の吊ボルトに吊下げられてこの天井裏に設置され、かつ、天井板の開口に臨む底面には、中央に空気吸込口を有する凸部が設けられると共にその凸部の両側にそれぞれ空気吹出口を有する凹部が設けられた本体と、前記天井板の開口に位置して前記本体の底面に取り付けられるグリルとから空気調和機を構成し、前記本体と前記天井板の開口との隙間を保つための一枚の据付用型紙を備えた天井埋込型空気調和機の据付装置であって、前記一枚の据付用型紙は、その外形寸法を前記天井板の開口の寸法と略一致させると共に、前記複数本の吊ボルトの位置を示す吊ボルト用位置表示部と、前記本体の底面の凹部に設けられた複数のグリル固定用のグリルねじ孔の位置を示すグリルねじ孔用位置表示部と、前記本体の底面を閉塞すべく本体に取り付けるための本体取付用ねじ孔とを備え、前記グリルねじ孔用位置表示部及び本体取付用ねじ孔が設けられた型紙の４隅のコーナー部付近には、Ｌ字状の切込み及び山折りと谷折りの互いに平行な２段の折曲線から成る切越し部がそれぞれ形成され、これら切越し部を切り起こしたときの先端側平面に前記本体取付用ねじ孔を設け、これら本体取付用ねじ孔を用いて据付用型紙を前記本体の底面にねじ止め固定可能とした構成であるから、据付用型紙を凹凸のある本体の底面にほぼ密着して固定でき、しかも、本体への取付後は、据付用型紙の底面を天井面と一致させているので、天井板の高さ、天井板の開口位置及び寸法を容易に設定して認識でき、容易かつ正確に天井板の張付を行うことができる。
【００３５】
また、据付用型紙は、本体の底面にほぼ密着して底面の通気口を閉塞できるので、据付工事の際に本体底面を保護する養生シートとしても使用でき、１つの型紙で、天井板の高さ、天井板の開口寸法、及び養生シート（保護シート）として兼用でき、複数の用途に活用できる。
【００３６】
さらに、この据付用型紙は、一度本体に取り付ければ、グリル取付時まで装着したままにでき、着脱作業の軽減化を図ることができる。
【図面の簡単な説明】
【図１】  天井埋込型空気調和機の設置状態を示す斜視図である。
【図２】  本発明の据付装置に表示された内容を示す平面図である。
【図３】  本発明の据付装置と、吊ボルト及びグリル固定用ねじ孔との関係を示す斜視図である。
【図４】  本発明の据付装置を本体に取り付けた状態を示す斜視図である。
【図５】  従来の天井埋込形空気調和機の設置状態を示す斜視図である。
【符号の説明】
１  空気調和機本体
３  吊ボルト
４  Ｌ形吊具
５  天井裏
６  グリル
７  底面
８  空気吸込口
９  空気吹出口
１０  空気調和機
１４  グリル固定用ねじ孔
１６  天井板の開口
２１  据付用型紙
２６  切起し部
２７  切込み
２８ａ、２８ｂ  折曲線
３１  本体取付用ねじ孔
【図１】
0003768138.tif 000002
【図２】
0003768138.tif 000003
【図３】
0003768138.tif 000004
【図４】
0003768138.tif 000005
【図５】
0003768138.tif 000006